(57)【要約】【課題】  弁の軸封装置からパッキンフォロワを安全かつ効率的にパッキンフォロワ自体を傷つけることなく抜き取り可能なパッキンフォロワ抜き取り工具の提供。【解決手段】  外周面に被係合部を有するパッキンフォロワを備える弁の軸封装置から前記パッキンフォロワを前記弁軸に沿って抜き出す工具であって、前記貫通孔から外周に向けて放射状に複数の分割片に分割可能とされており、略中央に前記被係合部と係合可能な係合部を内周面に有する貫通孔を備え、該貫通孔の周縁に沿って前記弁軸の同心円上に表裏面に貫通するねじ穴が一定間隔で穿設されてなる環状板と、前記ねじ穴に螺合され、これによって前記環状板を前記パッキンフォロワの抜き取り方向に移動させる押しボルトとを備えてなるパッキンフォロワ抜き取り具。前記環状板には、パッキンフランジの締め付けボルトを挿通可能な切り込み部を前記貫通孔の端縁から外周に向けて略放射状に設けることができる。【選択図】  図１
2009138885.tif 000002
【特許請求の範囲】
【請求項１】
外周面に被係合部を有し、弁軸周りに充填されるパッキンを当該弁軸の方向に押圧するパッキンフォロワを備える弁の軸封装置から前記パッキンフォロワを前記弁軸に沿って抜き出す工具であって、前記貫通孔から外周に向けて放射状に複数の分割片に分割可能とされており、略中央に前記被係合部と係合可能な係合部を内周面に有する貫通孔を備え、該貫通孔の周縁に沿って前記弁軸の同心円上に表裏面に貫通するねじ穴が一定間隔で穿設されてなる環状板と、前記ねじ穴に螺合され、これによって前記環状板を前記パッキンフォロワの抜き取り方向に移動させる押しボルトとを備えてなることを特徴とするパッキンフォロワ抜き取り具。
【請求項２】
前記被係合部は、前記パッキンフォロワの弁座側の小径の外周面と操作端側の大径の外周面とによって形成される段差部で構成され、前記係合部は前記被係合部に係合可能な段差で構成されてなる請求項１に記載のパッキンフォロワ抜き出し工具。
【請求項３】
前記被係合部は、前記パッキンフォロワの外周面にその周方向に連続的にまたは断続的に設けられた凸部または凹部で構成され、前記係合部は前記被係合部に係合可能な凹部または凸部で構成されてなる請求項１に記載のパッキンフォロワ抜き取り工具。
【請求項４】
前記環状板には、パッキンフランジの締め付けボルトを挿通可能な切り込み部が前記貫通孔の端縁から外周に向けて略放射状に設けられてなる請求項１〜３のいずれか１項に記載のパッキンフォロワ抜き出し工具。
【発明の詳細な説明】
【技術分野】
【０００１】
本発明は、軸封装置にパッキンフォロワを有する弁から該パッキンフォロワを効率的に抜き取ることができる抜き取り工具に関する。
【背景技術】
【０００２】
仕切り弁や止め弁などの弁類は、通常、弁箱から突出し弁蓋を貫通する弁軸の軸方向の往復運動や回転運動によって弁箱内で流体の流路を開き、または遮断するものであり、弁軸の周りから流体が漏出するのを防止するために、弁蓋の一部にグランド部を設け、該グランド部を貫通する弁軸の周りにパッキン収容空間を設け、この中にグランドパッキン（以下、単にパッキンという。）を圧縮装着して弁軸の外周面に密着させて弁軸周りをシールする軸封装置を備えているのが一般的である。このパッキンを圧縮するのに、弁の機種や構造によっては弁軸に嵌装されるリング状のパッキンフォロワが用いられることがある。
【０００３】
図６は、一般的な弁のパッキンフォロワを備えた軸封装置の一例を示しており、この図面に向って上側に操作端、下側に弁座が設けられている。この図に示すグランド部４０において、操作端側に突出する弁軸４１の周囲にパッキン収容空間４７が設けられ、この中にグランドパッキン４２が充填されている。パッキンフォロワ４３は、弁軸４１の外径と略同等の内径の透孔を備えたリング状体であり、弁軸４１にその操作端側から嵌め込まれ、前記パッキン収容空間４７においてパッキン４２を弁軸方向に押圧している。このパッキンフォロワ４３の外周面には、保守点検時にこれを抜き取ることができるように被係合部が設けられているのが通常であり、図６に示す弁では、この被係合部として、弁軸４１の方向に沿って弁座側の前記パッキン収容空間に嵌合される外径を有する外周部分と、これよりも相対的に小さい外径を有する操作端側の外周部分とによって形成された段差部４３ａが設けられている。
【０００４】
通常、パッキン４２は、これと弁軸との摺動回数が弁の使用時間に比例して増加するので、弁を長時間使用することで消耗してくる。また、内部の流体が高温である場合には、パッキンの焼き減り現象が生じることがある。このようにパッキン４２が消耗した場合、パッキンフランジの締め付けボルトを増し締めすることによってパッキンフォロワ４３をパッキン収容空間内にさらに押し込んでパッキン４２を圧縮して弁軸に押し付けることが行われるが、いずれはパッキンの交換が必要になる。
【０００５】
パッキン４２を取替える場合、これを押圧しているパッキンフォロワ４３を抜き取る必要があるが、従来、このパッキンフォロワ４３の外周面の段差部４３ａを直接プラスチックハンマーで叩いたり、当該段差部４３ａに木切れを当てて片手ハンマーでこの木切れを叩くことによって抜き取られていた。
【特許文献１】特開２０００−８１１４７号公報
【特許文献２】特開平１１−１２５３６６号公報
【特許文献３】特開平１１−５１２４５号公報
【特許文献４】特開平９−７９４２０号公報
【特許文献５】実開平５−３６１８２号公報
【発明の開示】
【発明が解決しようとする課題】
【０００６】
しかし、このようにハンマー類を用いて直接または木切れなどを介在させて間接的にパッキンフォロワを叩くと、これが変形しまたは破損する危険性があった。また、非常に狭いスペースでハンマーを使用するので、弁の他の部分に手などが当たり負傷する危険性があり、安全上も問題があった。そのため、弁の軸封装置からパッキンフォロワを安全かつ簡単に、効率的に抜き出す工具が要請されていた。
【０００７】
そこで、本発明は、弁の軸封装置からパッキンフォロワを安全かつ効率的に、しかもパッキンフォロワを傷つけることなく抜き取ることができるパッキンフォロワ抜き取り工具を提供することを目的とする。
【課題を解決するための手段】
【０００８】
本発明によれば、前記目的は、外周面に被係合部を有し、弁軸周りに充填されるパッキンを当該弁軸の方向に押圧するパッキンフォロワを備える弁の軸封装置から前記パッキンフォロワを前記弁軸に沿って抜き出す工具であって、前記貫通孔から外周に向けて放射状に複数の分割片に分割可能とされており、略中央に前記被係合部と係合可能な係合部を内周面に有する貫通孔を備え、該貫通孔の周縁に沿って前記弁軸の同心円上に表裏面に貫通するねじ穴が一定間隔で穿設されてなる環状板と、前記ねじ穴に螺合され、これによって前記環状板を前記パッキンフォロワの抜き取り方向に移動させる押しボルトとを備えてなることを特徴とするパッキンフォロワ抜き取り具によって達成される。
【０００９】
本発明のパッキンフォロワ抜き取り工具を用い、パッキンフォロワの外周面に周方向に設けられた被係合部に前記環状板の内周面の係合部を係合させ、当該環状板に押しボルトを螺合し、その先端がグランド部の操作端側の端面に当接した状態でさらにこの押しボルトを螺合することで、環状板を介してパッキンフォロワの被係合部に対して引き抜き方向に均等に力を加えることができ、これによりパッキンフォロワを弁の軸封装置から引き抜くことができる。前記係合部は、前記被係合部と前記パッキンフォロワの全周にわたり係合するように前記環状板の内周面に設けてもよく、部分的に係合するように当該内周面に設けるだけであってもよいが、後者の場合、複数の係合部を前記環状板の内周面の厚さ方向一定の位置にその周方向に一定の間隔で分散してかつ互いに対向するように配設し、前記パッキンフォロワを引き抜く際に前記被係合部の全周に対して均等に力が加わるようにするのが好ましい。
【００１０】
また、前記環状板を放射状に複数の分割片に分割可能とし、パッキンフォロワの外周にこれら分割片を配置してから互いに隣り合う分割片同士を連結して環状板を形成するようにしたので、緩く連結するなど連結の程度を変えることで、本発明のパッキンフォロワ抜き取り工具はこれ１つで種々の外径のパッキンフォロワの抜き取りに使用でき、ひいては種々のサイズの弁からのパッキンフォロワの抜き取りにも用いることができる。また、環状板組み立てからパッキンフォロワ抜き出しまで、作業者は同じ目線の高さで作業できるので、さらに安全性も向上する。
【発明の効果】
【００１１】
本発明のパッキンフォロワ抜き取り工具を用いることで、パッキンフォロワを変形させ、または損傷することなく、しかも安全かつ効率的に短い作業時間で弁の軸封装置から抜き取ることができる。
【発明を実施するための最良の形態】
【００１２】
以下、添付図面を参照して、本発明のパッキンフォロワ抜き取り工具について詳細に説明する。図１は、本発明の実施形態の一例であるパッキンフォロワ抜き取り工具を示している。また、図２は、図１に示すパッキンフォロワ引き抜き具１における環状板２の断面図を示しており、（ａ）はＡ−Ａ矢視図、（ｂ）はＢ−Ｂ矢視図である。この実施形態は、例えば図６に示す外周面に被係合部として段差部４３ａが形成されたパッキンフォロワを弁の軸封装置９から抜き取るのに好適に使用することができる。なお、本発明のパッキンフォロワ抜き取り工具は、環状板と押しボルトとを備えるが、この押しボルトは公知の所定の規格を具備するものを使用できることから、図１ではこれを省略し、環状板のみを示している。
【００１３】
本実施形態のパッキンフォロワ抜き取り工具１における環状板２は、図１および図２に示すように、略中央に略円形の貫通孔４を備える肉厚の円板状を呈しており、貫通孔４から外周に向けて放射状にそれぞれ略同一の形状を備えた４個の分割片５〜８に分割可能とされている。各分割片５，６，７，８は、それぞれ円周方向両端に分割面５ａ，５ｂ；６ａ，６ｂ；７ａ，７ｂ；８ａ，８ｂを備えており、これらの分割面５ｂと６ａ、６ｂと７ａ、７ｂと８ａ、８ｂと５ａをそれぞれ当接することで、環状版１が形成されるようになっている。また、各分割片５〜８の外周には、それぞれ正面視略Ｌ字型の切り欠き部３０、３１、３２、３３が全厚さにわたり設けられている。
【００１４】
各分割片５〜８の一方の分割面５ａ、６ａ、７ａ、８ａには、これらの分割面と、各切り欠き部３０〜３３の前記分割面に平行な短辺側の面とを貫通するボルト挿通孔５ｃ、６ｃ、７ｃ、８ｃが厚さ方向略中央にそれぞれ穿設されている。また、各分割片５〜８の他方の分割面５ｂ、６ｂ、７ｂ、８ｂには、このボルト挿通孔５ｃ、６ｃ、７ｃ、８ｃに対応する位置に、隣り合う分割片５，６；６，７；７，８；８，５をそれぞれの分割面で当接した場合にこれらの挿通孔と連通するねじ孔５ｄ、６ｄ、７ｄ、８ｄが穿設されている。これらのボルト挿通孔５ｃ、６ｃ、７ｃ、８ｃにそれぞれボルトまたはキャップスクリューなどを挿通し、ねじ孔５ｄ、６ｄ、７ｄ、８ｄに螺合することで、互いに隣接する分割片５〜８をそれぞれ接合できるようになっている。
【００１５】
また、各分割片５〜８は、隣り合う他の分割片５〜８とこれらの表裏面が面一に接合可能とされることが好ましい。このように面一に接合するのに、例えば、各分割片の一方の分割面に溝または突条を設け、他方の分割面には前記溝または突条に嵌合可能な突状または溝を設けるなどの手段を講じることができる。これらの溝または突条は、それぞれの分割面において任意の方向に設けることができるが、好ましくは分割片（環状板２）の径方向に沿って設けるのがよい。また、各分割面に設けられる溝または突条の本数は、少なくとも１本であれば特に限定されない。
【００１６】
貫通孔４の内周面には、その周方向に沿ってパッキンフォロワ４３の外周面の段差部４３ａと係合可能な係合部１０が設けられている。この係合部１０は、図２に示すように、貫通孔４の厚さ方向に沿って並設された内径が僅かに異なる２つの内周部分の間に形成された段差で構成されている。前記２つの内周部分のうち、相対的に小さい内径を有する内周部分は、パッキンフォロワ４３における弁座側の外周部分の外径と略同等か、それよりも僅かに大きい内径とされ、他方の相対的に大きい内径を有する内周部分は、パッキンフォロワ４３の操作端側の外周部分の外径と略同等か、それよりも僅かに大きい内径とされる。これにより、環状板２の内周面はパッキンフォロワ４３の外周面の全周にわたって密着した状態で、または僅かに間隙が生じた状態で、該環状板２の内周面に設けられた係合部１０はパッキンフォロワ４３の被係合部４３ａに係合するようになっている。なお、この環状板２は、パッキンフォロワ抜き取りに使用する際に変形しないような材質を選定し、その厚さも選定した材質に応じて適宜設定できる。
【００１７】
なお、前記係合部１０は、本実施形態の形状に限定されず、パッキンフォロワ４３の外周面に設けられる被係合部４３ａの形状に応じて種々の形状を採ることができる。図３は、本発明のパッキンフォロワ抜き取り工具の係合部の採りうる形状のいくつかを例示したものである。なお、この図では、図面に向ってパッキンフォロワ４３の上に弁の操作端、下側に弁座が設けられているものとする。
【００１８】
図３（ａ）に示すように、被係合部として図６に示すものと同様の形状の段差部４３ａを有するパッキンフォロワ４３に対しては、これに係合するように貫通孔４の内周面の厚さ方向中間に周方向に設けられた溝１０ｂに断面矩形のリング状片１０ａをその内周側の端縁部分が貫通孔４の内周面から突出するように埋め込み、当該突出した部分を係合部として用いることができる。リング状片１０ａの埋め込みは、公知の方法、例えば当該リング状片１０ａを径方向に分割しておき、各分割片をそれぞれ溝１０ｂに嵌め込む方法などによって行なうことができる。この例では、リング状片１０ａを着脱自在に嵌合するようにしてもよい。このように着脱自在に装着できるようにすることで、リング状片１０ａの被係合部４３ａと係合する内周側の端縁部分が磨耗などした場合に交換することができる利点がある。
【００１９】
また、図３（ｂ）に示すように、外周面の厚さ方向中間に周方向全周にわたり溝４３ｂが設けられているパッキンフォロワ４３の場合には、貫通孔４の内周面における係合部１０を図３（ａ）に示すリング状片１０ａと同様の形状でかつ溝４３ｂに嵌合可能なリング状片１０ａで構成し、当該係合部１０を当該溝４３ｂに係合するようにしてもよい。このリング状片は、前記と同様に着脱自在に嵌合することで、交換が可能となる利点がある。
【００２０】
なお、図１、図３（ａ）および図３（ｂ）に示す係合部は、環状板２の内周面の全周に配設せずに、当該内周面の厚さ方向同じ位置において周方向複数個所に一定の間隔でかつ互いに対向するように配設することもできる。例えば、図１に示す例では、環状板２の内周面を構成する各分割片５〜８の互いに対向する面の例えば略中間部分または両端部若しくは一端部に段差をそれぞれ部分的に形成するようにし、図３（ａ）および図３（ｂ）に示す例では、各分割片５〜８の前記と同様の位置に断面略矩形の帯状片を部分的に埋め込むようにする。これにより、パッキンフォロワ４３の被係合部に対して弁軸に沿った引き抜き方向に均等に力を加えることができるようになる。
【００２１】
さらに、図３（ｃ）に示すように、外周面の操作端側に周方向全周にわたり突条４３ｃが設けられているパッキンフォロワ４３の場合には、環状板２の内周面に当該突条４３ｃに係合可能な溝１０ｂを係合部として設け、これを係合部１０として用いることができる。また、周方向に部分的に突条４３ｃ、４３ｃ、・・・が複数個所設けられたパッキンフォロワ４３の場合には、環状板２の内周面にこれらの突条４３ｃ、４３ｃ、・・・のそれぞれに係合する複数の溝１０ｃ、１０ｃ、・・・からなる係合部を用いることができる。
【００２２】
前記環状板２には、前記貫通孔４の周縁に沿って当該貫通孔４の同心円上に一定間隔でねじ穴１５〜２２が穿設されている。各ねじ穴１５〜１２の中心を通る同心円の直径は、弁のグランド部の操作端側の端面における器具の配置などを考慮して、適宜設定できる。これらのねじ穴１５〜２２の直径は、パッキンフォロワ４３を抜き取る際に当該各ねじ孔に螺合する押しボルト２，２、・・・のサイズに合わせて常識的な範囲で適宜設定できる。この直径を常識的な範囲を超えて大きく設定することは、これに螺合する押しボルトの直径が必然的に大きくなり、パッキンフォロワの抜き取り作業に支障が生じるなどの問題が生じ現実的でなく、常識的な範囲よりも小さく設定することは、パッキンフォロワが弁軸に焼きついた状態の場合などには抜き取りが困難になるだけでなく、押しボルトの座屈などの問題が生じる可能性が出てくる。
【００２３】
図１に示す実施形態では、このねじ穴１５〜２２の個数は８個としているが、これに限定されず、それよりも多くても少なくてもよい。好ましくは、ねじ穴は偶数個設けるのがよく、それぞれのねじ穴は貫通孔４の同心円上該貫通孔４を挟んで対向する位置に配置されるのがより好ましい。
【００２４】
環状板２を構成する各分割片５〜８には、さらに図１に示すように、それぞれ貫通孔４から外周に向けて径方向に略放射状に切り込み部２５〜２８を設けることができる。これらの切り込み部２５〜２８を設けることで、弁のパッキンの交換作業において、これらのそれぞれにパッキン押さえボルト４５、４５（図６参照）を挿通して当該各ボルト４５，４５を回避した状態で弁軸４１周りに各分割片５〜８をグランド部４０の操作端面上に配置した上で環状板１に組み立てることができ、その結果、これらのボルト４５、４５を取り外すことなく、パッキンフォロワ４３を軸封装置から抜き取ることができるので、さらに弁からのパッキン交換作業を効率的に短時間で行うことができる。
【００２５】
次に、図４および図５を参照して、図６に示す弁の軸封装置９からパッキンフォロワを抜き取る場合の図１に示す本発明のパッキン抜き取り工具の使用方法について説明する。図４および図５は、本発明のパッキンフォロワ抜き取り工具の使用状態をそれぞれ示す側面断面図である。パッキンフォロワを抜き取るにあたり、この作業を実施するのに障害となりうる周辺各部を取り外すとともに、ナット４６、４６、・・・を緩めてパッキンフランジ４４およびパッキン押さえボルト４５、４５、・・・を取り外しておく。図１に示すパッキンフォロワ抜き取り具には、弁軸４５回りにて分割片５〜８を接合して環状板２を形成するのにパッキン押さえボルト４５、４５、・・・を回避する切り込み部２５〜２８が設けられているので、パッキン押さえボルト４５、４５、・・・を取り外す必要はないが、図４および図５では、これらのパッキン押さえボルトを取り外しているものとする。
【００２６】
まず、各分割片５〜８をパッキンフォロワ４３の外周面の被係合部４３ａに各分割片１０〜１３がそれぞれ係合するように当該外周面の周りに配置する。その後、ボルト挿通孔５ｃ、６ｃ、７ｃ、８ｃとねじ孔５ｄ、６ｄ、７ｄ、８ｄとがそれぞれ連通状態となるように隣り合う分割片５〜８の分割面同士を当接し、キャップスクリュー３５〜３８をそれぞれボルト挿通孔５ｃ、６ｃ、７ｃ、８ｃに挿通してねじ孔５ｄ、６ｄ、７ｄ、８ｄにねじ込むことで、互いに隣り合う分割片５〜８を接合する。
【００２７】
次に、このようにして組み立てた環状板２のねじ孔１５〜２２のうちの少なくとも２つに押しボルト２、２、・・・をそれぞれ螺合していく。使用する押しボルト２、２、・・・の長さは、少なくともパッキンフォロワのパッキン収容空間内に差し込まれた端部（図面の下側の端部）が当該収容空間から完全に露出する程度で任意に設定できる。可能であれば、押しボルト２、２、・・を螺合して環状板２を浮かせ、パッキンフォロワを弁軸４１から抜き取るだけの長さとすることもできる。このとき、押ボルト２，２、・・・は少なくとも２本であれば特に限定されないが、偶数本使用するのが好ましい。また、各押しボルト２，２、・・・は、弁軸を挟んで相互に対向する位置に配置することが好ましい。そうして各押しボルトの先端がグランド部４０の操作端側の端面に当接状態とした上で、さらに押しボルト２、２を螺合する。その際、各押しボルト２、２、・・について、例えばねじ１ピッチ分ごと順に回転させるなどして環状板２を均等に弁軸方向に浮かせるようにすることが好ましい。この操作を行なうことにより、環状板２の係合部１０はパッキンフォロワ４３の被係合部４３ａと係合しているので、パッキンフォロワ４３自体を引き抜き方向に移動させることができる。
【００２８】
以上説明したように、本発明のパッキンフォロワ抜き取り工具を用いることで、安全かつ効率的に弁の軸封装置からパッキンフォロワを抜き取ることができる。
【図面の簡単な説明】
【００２９】
【図１】本発明の実施形態の一例であるパッキンフォロワ抜き取り工具の環状板を示す図である。
【図２】図１のＡ−Ａ矢視図およびＢ−Ｂ矢視図である。
【図３】本発明における係合部と被係合部との係合状態を模式的に例示した部分拡大図である。
【図４】本発明のパッキンフォロワ抜き取り工具を用いたパッキンフォロワの抜き取り状態を示す側面断面図である。
【図５】本発明のパッキンフォロワ抜き取り工具を用いたパッキンフォロワの抜き取り状態を示す側面断面図である。
【図６】パッキンフォロワを備えた軸封装置を有する一般的な弁の側面断面図である。
【符号の説明】
【００３０】
１    パッキンフォロワ引き抜き具
２    環状板
３    押しボルト
４    貫通孔
５，６，７，８    分割片
５ａ、５ｂ    分割面
６ａ，６ｂ    分割面
７ａ、７ｂ    分割面
８ａ、８ｂ    分割面
９    軸封装置
１０、１１、１２、１３    係合部
１０ａ    係合部
１０ｂ    係合部（溝）
１５〜２２    ねじ孔
２５〜２８    切り込み部
３０〜３３    切り欠き部
４０    グランド部
４１    弁軸
４２    グランドパッキン
４３    パッキンフォロワ
４３ａ、４３ｂ、４３ｃ    パッキンフォロワ被係合部
４４    パッキンフランジ
４５    パッキン押さえボルト
４６    ナット
４７    パッキン収納空間
【図１】
2009138885.tif 000003
【図２】
2009138885.tif 000004
【図３】
2009138885.tif 000005
【図４】
2009138885.tif 000006
【図５】
2009138885.tif 000007
【図６】
2009138885.tif 000008